(57)【要約】      （修正有）【課題】コップ蓋の構造を提供する。【解決手段】本考案のコップ蓋１０の構造は、コップ蓋を含み、該コップ蓋の外周縁にコップ縁が形成され、該コップ蓋の上表面は上へ隆起するコップカバー体１２が設けられ、該コップカバー体の外壁は徐々に縮小するガイド斜面１２２が形成され、また該コップカバー体の上端面は凹み円弧状を呈し、対称する両端に第一端１２３と第二端１２４が形成され、さらに該第一端、第二端の間に凹み円弧端が形成され、該第一端は第二端より高く、該コップカバー体は該第一端と隣接して飲み口１３が凹設され、該飲み口の底面は該凹み円弧部より低い水平面が形成され、該水平面には反り返った封口ピース１４が予め設けられ、同時に該ピースは反された後に飲み口ガイド部が形成され、該飲み口と隣接する第一端は該水平面と垂直して口付け部分が形成され、また該口付け部分と該飲み口ガイド部は高度差があるため、液体を飲む時に溢れ出すことが防げられる。【選択図】図１
0003221710.tif 000002
【実用新案登録請求の範囲】
【請求項１】
コップ蓋の構造であって、
上記コップ蓋の外周縁にコップ縁が形成され、上記コップ縁の中段にロックリブが内へ凹んで環状に設けられ、また上記コップ縁の内径及び上記ロックリブの上端の間に合致リング部が形成され、上記コップ蓋の上表面は上へ隆起するコップカバー体が設けられ、上記コップカバー体の外壁は徐々に縮小するガイド斜面が形成され、また上記コップカバー体の上端面は凹み円弧状を呈し、対称する両端に第一端と第二端が形成され、さらに上記第一端、第二端の間に凹み円弧端が形成され、上記第一端は第二端より高く、上記コップカバー体は上記第一端と隣接して飲み口が凹設され、上記飲み口の底面は上記凹み円弧部より低い水平面が形成され、上記水平面には反り返った封口ピースが予め設けられ、同時に上記封口ピースは反された後に飲み口ガイド部が形成され、上記飲み口と隣接する第一端は上記水平面と垂直して口付け部分が形成され、また上記口付け部分と上記飲み口ガイド部は高度差があるため、飲み物を飲む時に溢れ出すことが防げられることを特徴とするコップ蓋の構造。
【請求項２】
上記コップカバー体は別に対称する両端も上記凹み円弧端より高い第三端と第四端が形成され、上記第三端と第四端は同じ高さであるが、上記第二端より低いことを特徴とする請求項１のコップ蓋の構造。
【請求項３】
上記コップカバー体の隆起起点は上記コップ縁の合致リング部より低く、また上記コップカバー体の外周及びコップ縁の間に位置限定リング部が形成されることを特徴とする請求項１のコップ蓋の構造。
【請求項４】
上記飲み口は瓢箪状の凹み溝であることを特徴とする請求項１のコップ蓋の構造。
【請求項５】
上記封口ピースは上記第一端に隣接してロック柱体が設けられ、また上記コップカバー体の中央に孔部が設けられ、上記封口ピースを開ける時に上記ロック柱体によって上記孔部にロック限定されることを特徴とする請求項１のコップ蓋の構造。
【請求項６】
上記孔部は反り返った閉合ピースによって封じられることを特徴とする請求項５のコップ蓋の構造。
【請求項７】
上記コップ縁の底側は外へ広げてガイド部が設けられることを特徴とする請求項１のコップ蓋の構造。
【考案の詳細な説明】
【技術分野】
【０００１】
本考案はコップ蓋の構造に関し、特に二種類の飲み方ができ、且つ飲む時に溢れ出すことが避けられるコップ蓋の構造に関する。
【背景技術】
【０００２】
コーヒーやお茶などの熱い飲み物は温度が高く、一般的には、紙コップに入れてから、耐熱材質の食品プラスチック材料により作られたコップ蓋によってコップの口部を覆うことで、紙コップに入れられた内容物が溢れ出すことが防げられるため、使用者が持ち歩きやすい。また、コップ蓋の上に飲み口が設けられ、コップ蓋を開けなくても、飲み口部を開けると紙コップ内に入れられた内容物が飲める。
【０００３】
ただし、現在のコップ蓋はすべて一つの飲み口だけがあって、使用者が開けて飲むために提供され、また該飲み口の開口はストローが挿し込みにくいため、使用者がストローで飲むことができず、該コップ蓋は熱い飲み物だけの使用に限られるため、実用性に欠ける。さらに、該コップ蓋の端面の多くは平面に呈すため、飲み物が飲み口の開口より溢れ出す時、平面はガイド回流効果がないため、コップ蓋上にある飲み物が該コップ蓋よりこぼれやすく、使用者の衣服または環境地面を汚すため、該構造の使用衛生性を大幅に下げてしまう。
【０００４】
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００５】
従来技術に存在する上述の欠点について解決し、コップ蓋の構造を提供する。
【課題を解決するための手段】
【０００６】
本考案のコップ蓋の構造は、該コップ蓋の外周縁にコップ縁が形成され、該コップ縁の中段にロックリブが内へ凹んで環状に設けられ、また該コップ縁の内径及び該ロックリブの上端の間に合致リング部が形成され、該コップ蓋の上表面は上へ隆起するコップカバー体が設けられ、該コップカバー体の外壁は徐々に縮小するガイド斜面が形成され、また該コップカバー体の上端面は凹み円弧状を呈し、対称する両端に第一端と第二端が形成され、さらに該第一端、第二端の間に凹み円弧端が形成され、該第一端は第二端より高く、該コップカバー体は該第一端と隣接して飲み口が凹設され、該飲み口の底面は該凹み円弧部より低い水平面が形成され、該水平面には反り返った封口ピースが予め設けられ、同時に該ピースは反された後に飲み口ガイド部が形成され、該飲み口と隣接する第一端は該水平面と垂直して口付け部分が形成され、また該口付け部分と該飲み口ガイド部は高度差があるため、液体を飲む時に溢れ出すことが防げられる。
【０００７】
該コップカバー体は別に対称する両端も該凹み円弧端より高い第三端と第四端が形成され、該第三端と第四端は同じ高さであるが、該第二端より低い。
【０００８】
該コップカバー体の隆起起点は該コップ縁の合致リング部より低く、また該コップカバー体の外周及びコップ縁の間に位置限定リング部が形成される。
【０００９】
該飲み口は瓢箪状の凹み溝である。
【００１０】
該封口ピースは該第一端に隣接してロック柱体が設けられ、また該コップカバー体の中央に孔部が設けられ、該封口ピースを開ける時に該ロック柱体によって該孔部にロック限定されるためである。
【００１１】
該孔部は反り返った閉合ピースによって封じられる。
【００１２】
該コップ縁の底側は外へ広げてガイド部が設けられる。
【００１３】
従来技術の効果に照らし合わせると、（一）該コップ蓋には上端面が凹み円弧状を呈すコップカバー体があり、該コップカバー体は高い方の第一端に飲み口が設けられ、最低端の凹み円弧端に孔部が設けられる。飲む時、個人の好みによって飲み口を選んで飲んだり、或いはストローと合わせて孔部を通して飲んだりすることができる。二種類の飲み方があるため、コップ蓋の実用性を向上できる。
【００１４】
（二）該コップカバー体の上端面は凹み円弧状に形成されるため、飲む時に飲み物が飲み口または孔部より溢れ出す時、すべてが先に凹み円孔端に制限され、コップ蓋外にこぼれることが避けられ、その後はコップを揺らしたり、斜めにしたりすることでガイド回流でき、コップ蓋の構造における使用衛生性を増進できる。
【図面の簡単な説明】
【００１５】
【図１】図１は、本考案に係るコップ蓋の構造を示す立体図である。
【図２】図２は、本考案の封口ピースが開けられる時の立体図である。
【図３】図３は、本考案に係るコップ蓋の構造を示す俯瞰図である。
【図４】図４は、本考案がコップとの組み合わせを示す断面図である。
【図５】図５は、本考案の封口ピースが開けられて位置限定されることを示す図である。
【図６】図６は、本考案が飲み口によって飲むことを示す図である。
【図７】図７は、本考案のガイド回流を示す図である。
【図８】図８は、本考案がストローで飲むことを示す図である。
【考案を実施するための形態】
【００１６】
まず、図１、図２、図３と図４を参照されたい。本考案のコップ蓋の構造は、コップ蓋１０を含み、該コップ蓋１０の外周縁にコップ縁１１が形成され、該コップ縁１１の中段にロックリブ１１１が内へ凹んで環状に設けられ、また該コップ縁１１の内径及び該ロックリブ１１１の上端の間に合致リング部１１２が形成され、該コップ縁１１の底側は外へ広げてガイド部１１３が設けられる。該コップ蓋１０の上表面は上へ隆起するコップカバー体１２が設けられ、該コップカバー体１２の隆起起点は該コップ縁１１の合致リング部１１２より低く、また該コップカバー体１２の外周及びコップ縁１１の間に位置限定リング部１２１が形成される。該コップカバー体１２の外壁は徐々に縮小するガイド斜面１２２が形成され、また該コップカバー体１２の上端面は凹み円弧状を呈し、対称する両端に第一端１２３と第二端１２４が形成され、さらに該第一端１２３、第二端１２４の間に凹み円弧端１２５が形成され、該第一端１２３は第二端１２４より高い。該コップカバー体１２は別に対称する両端も該凹み円弧端１２５より高い第三端１２６と第四端１２７が形成され、該第三端１２６と第四端１２７は同じ高さであるが、該第二端１２４より低い。このほか、該コップカバー体１２は該第一端１２３と隣接して瓢箪状の飲み口１３が凹設され、該飲み口１３の底面は該凹み円弧部１２５より低い水平面１３１が形成され、該水平面１３１には反り返った封口ピース１４が予め設けられ、同時に該封口ピース１４は反された後に飲み口ガイド部１５が形成され、該飲み口１３と隣接する第一端１２３は該水平面１３１と垂直して口付け部分１３２が形成され、また該口付け部分１３２と該飲み口ガイド部１５は高度差があるため、飲み物を飲む時に溢れ出すことが防げられる。また該封口ピース１４は該第一端１２３に隣接してロック柱体１４１が設けられ、また該コップカバー体１２の中央に孔部１６が設けられ、該封口ピース１４を開ける時に該ロック柱体１４１によって該孔部１６にロック限定されるためであり、また該孔部１６は反り返った閉合ピース１６１によって封じられる。
【００１７】
構造の実際の使用状態は、引き続き図４を参照されたい。該コップ蓋１０はコップ２０の上開口２１に合わせて使用され、該コップ縁１１が外へ拡大されるガイド部１１３によって該コップ２０の上開口２１に沿って嵌められ、また該上開口２１の外縁は外へ巻かれるロック部２１１が周囲にあり、さらに該ロック部２１１は該ロックリブ１１１を通した後に該合致リング部１１２内に押し込まれて位置決めされることで、該コップ蓋１０が該コップ２０にしっかり嵌められる。
【００１８】
飲む時について説明するため、さらに図２、図５、図６と図７を参照されたい。該飲み口１３の封口ピース１４を上へ開けて、また封口ピース１４の上端にあるロック柱体１４１によってコップカバー体１２の孔部１６にロックして位置決めされることで、該飲み口ガイド部１５が開けられて使用者がコップ２０を持ち上げれば飲み口１３２より飲める。該口付け部１３２と該飲み口ガイド部１５は第一端１２３によって高度差が形成されるため、飲んだ後にコップ２０を直立に置く時、飲み物が口付け部１３２に沿って飲み口ガイド部１５内に流れ込む。このほか、もし飲む時に本当に飲み物が溢れ出す時、該コップカバー体１２の周辺は該中央の凹み円弧端１２５より高いため、飲み物は凹み円弧端１２５に溜まり、コップ蓋１０の外へこぼれることなく、再びコップ２０を揺らしたり、斜めにしたりすることで飲み物が飲み口１３へガイド回流でき、飲み物が外へ溢れ出すことが避けられ、コップ蓋１０の使用衛生性が増進される。
【００１９】
このほか、該コップ蓋１０はストロー３０を使用して直接に飲めることを図８に合わせて参照されたい。コップカバー体１２中央にある孔部１６はストロー３０を挿し込んで飲むことが提供され、飲み口ガイド部１５を開けなくても飲み物を飲めて、使用者に二種類の異なる飲み方を提供でき、該コップ蓋１０の使用実用性が向上される。
【００２０】
上述の具体的な実施例の構造によって、以下の効果が得られる。該コップ蓋１０には凹み円弧状を呈すコップカバー体１２があり、該コップカバー体１２は高い方の第一端１２３に飲み口１３が設けられ、最低端の凹み円弧端１２５に孔部１６が設けられる。飲む時、個人の好みによって飲み口１３を選んで飲んだり、或いはストロー３０と合わせて孔部１６を通して飲んだりすることができる。二種類の異なる飲み方があるため、コップ蓋１０の実用性を向上できる。
【００２１】
さらに、該コップカバー体１２の上端面は凹み円弧状に形成されるため、飲む時に飲み物が飲み口１３または孔部１６より溢れ出す時、すべてが先に凹み円孔端１２５に制限され、コップ蓋１０の外にこぼれることが避けられ、その後はコップ２０を揺らしたり、斜めにしたりすることでガイド回流でき、コップ蓋１０の構造における使用衛生性を増進できる。
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２２】
１０        コップ蓋
１１        コップ縁
１１１      ロックリブ
１１２      合致リング部
１１３      ガイド部
１２        コップカバー体
１２１      位置限定リング部
１２２      ガイド斜面
１２３      第一端
１２４      第二端
１２５      凹み円弧端
１２６      第三端
１２７      第四端
１３        飲み口
１３１      水平面
１３２      口付け部
１４        封口ピース
１４１      ロック柱体
１５        飲み口ガイド部
１６        孔部
１６１      閉合ピース
２０        コップ
２１        上開口
２１１      ロック部
３０        ストロー
【図１】
0003221710.tif 000003
【図２】
0003221710.tif 000004
【図３】
0003221710.tif 000005
【図４】
0003221710.tif 000006
【図５】
0003221710.tif 000007
【図６】
0003221710.tif 000008
【図７】
0003221710.tif 000009
【図８】
0003221710.tif 000010